【事件の表示】
　特願２０１４−　１２２９６号「遊技機」拒絶査定不服審判事件〔平成２７年　８月　３日出願公開、特開２０１５−１３９４７０号〕について、次のとおり審決する。
【結　論】
　本件審判の請求は、成り立たない。
【理　由】
第１　手続の経緯 
　本願は，平成２６年１月２７日に特許出願されたものであって，平成２７年３月１９日付けで拒絶理由が通知され，同年５月２０日に意見書及び手続補正書が提出され，同年１１月１８日付けで拒絶理由が通知（いわゆる「最後の拒絶理由通知」）され，これに対し平成２８年１月１８日に意見書及び手続補正書が提出されたが，同年７月１２日付けで同年１月１８日付けの手続補正が却下されると共に拒絶査定がなされ，これに対して，同年１０月１８日に拒絶査定不服審判の請求がなされるとともに手続補正がなされたものである。
第２　平成２８年１０月１８日付けの手続補正についての補正却下の決定
［補正却下の決定の結論］
　平成２８年１０月１８日付けの手続補正（以下「本件補正」という。）を却下する。
［理由］
１　本件補正の概要
　本件補正は特許請求の範囲の請求項１〜２の記載を含む補正であり，平成２７年５月２０日付けの手続補正と本件補正の特許請求の範囲の請求項１の記載はそれぞれ，以下のとおりである（下線部は補正を示す。）。
（補正前：平成２７年５月２０日付けの手続補正）
「【請求項１】
　始動条件が成立することにより遊技者にとって有利な特別遊技状態に移行させるか否かを判定する特別遊技判定手段と，
　前記特別遊技判定手段による判定の結果に基づいて，所定の演出手段に演出を行わせる演出制御手段と，
　前記演出制御手段によって演出が行われるときの演出音を出力するスピーカーと，
　遊技者が前記スピーカーにより出力される演出音の音量レベルの設定を変更するために操作入力を行うことが可能な操作入力手段と，
　前記操作入力手段に対して行われる操作に基づいて，前記スピーカーから出力される演出音の音量レベルの設定変更を行う音量調整手段と，
　遊技が行われていない場合の所定の条件において，前記操作入力手段に対する操作入力により音量レベルの設定変更が可能であることを報知する第１画像を所定の表示手段に所定時間表示させると共に，前記操作入力手段に対する操作入力が行われたことに伴い前記第１画像を消去させ，前記第１画像とは異なる第２画像により現在の音量レベルを表示すると共に，前記操作入力手段に対する操作入力に応じて前記第２画像において表示される現在の音量レベルを更新する報知手段と，
を備える遊技機。」
（補正後：本件補正：平成２８年１０月１８日付け手続補正）
「【請求項１】
　始動条件が成立することにより遊技者にとって有利な特別遊技状態に移行させるか否かを判定する特別遊技判定手段と，
　前記特別遊技判定手段による判定の結果に基づいて，所定の演出手段に演出を行わせる
と共に，遊技が行われていない場合に前記演出手段に待機演出を行わせる
　前記演出制御手段によって演出が行われる時の演出音を出力するスピーカーと，
　遊技者が前記スピーカーにより出力される演出音の音量レベルの設定を変更するために操作入力を行うことが可能な操作入力手段と，
　前記操作入力手段に対して行われる操作に基づいて，前記スピーカーから出力される演出音の音量レベルの設定変更を行う音量調整手段と，
　遊技が行われていない場合の所定の条件において，前記操作入力手段に対する操作入力により音量レベルの設定変更が可能であることを報知する第１画像を所定の表示手段に所定時間表示させると共に，前記操作入力手段に対する操作入力が行われたことに伴い前記第１画像を消去させ，前記第１画像とは異なる第２画像により現在の音量レベルを表示すると共に，前記操作入力手段に対する操作入力に応じて前記第２画像において表示される現在の音量レベルを更新する報知手段と，
を備え
，
　
前記演出制御手段は，前記待機演出実行中に，前記表示手段に演出画像を表示可能であり，
　
前記報知手段は，前記演出画像の一部より前面側に前記第２画像を表示させると共に，前記第２画像が表示されている状態で，前記操作入力手段に対する操作入力が行われることなく所定時間が経過すると，前記第２画像を消去させて，前記演出画像を前面側に表示させることを特徴とする
２　補正の適否
（１）補正事項
　本件補正は，補正前の請求項１の「演出制御手段」に関して，「所定の演出手段に演出を行わせる」という記載を「所定の演出手段に演出を行わせる
と共に，遊技が行われていない場合に前記演出手段に待機演出を行わせる
前記演出制御手段は，前記待機演出実行中に，前記表示手段に演出画像を表示可能であり，前記報知手段は，前記演出画像の一部より前面側に前記第２画像を表示させると共に，前記第２画像が表示されている状態で，前記操作入力手段に対する操作入力が行われることなく所定時間が経過すると，前記第２画像を消去させて，前記演出画像を前面側に表示させることを特徴とする
（２）補正の目的等についての検討
　上記補正事項は，「演出制御手段」に関して，「
遊技が行われていない場合に前記演出手段に待機演出を行わせる
前記待機演出実行中に，前記表示手段に演出画像を表示可能であ
前記演出画像の一部より前面側に前記第２画像を表示させると共に，前記第２画像が表示されている状態で，前記操作入力手段に対する操作入力が行われることなく所定時間が経過すると，前記第２画像を消去させて，前記演出画像を前面側に表示させること
　そして，本件補正は，【０１３１】，【０１６７】，【０１７３】の記載に基づくものであるから，新規事項を追加するものではない。
３　独立特許要件
　そこで，本件補正後の請求項１に記載された発明が特許出願の際独立して特許を受けることができるものであるか否か，すなわち，特許法第１７条の２第６項において準用する同法第１２６条第７項の規定に適合するか否か，について以下に検討する。
（１）本件補正後の請求項１に係る発明
　補正後の請求項１に係る発明（以下，「本願補正発明」という。）は，上記「１　本件補正の概要」に本件補正後の請求項１として記載したとおりのものである（Ａ〜Ｈは，本願補正発明を分説するために当審で付与した。）。
「【請求項１】
Ａ　始動条件が成立することにより遊技者にとって有利な特別遊技状態に移行させるか否かを判定する特別遊技判定手段と，
Ｂ　前記特別遊技判定手段による判定の結果に基づいて，所定の演出手段に演出を行わせると共に，遊技が行われていない場合に前記演出手段に待機演出を行わせる演出制御手段と，
Ｃ　前記演出制御手段によって演出が行われる時の演出音を出力するスピーカーと，
Ｄ　遊技者が前記スピーカーにより出力される演出音の音量レベルの設定を変更するために操作入力を行うことが可能な操作入力手段と，
Ｅ　前記操作入力手段に対して行われる操作に基づいて，前記スピーカーから出力される演出音の音量レベルの設定変更を行う音量調整手段と，
Ｆ　遊技が行われていない場合の所定の条件において，前記操作入力手段に対する操作入力により音量レベルの設定変更が可能であることを報知する第１画像を所定の表示手段に所定時間表示させると共に，前記操作入力手段に対する操作入力が行われたことに伴い前記第１画像を消去させ，前記第１画像とは異なる第２画像により現在の音量レベルを表示すると共に，前記操作入力手段に対する操作入力に応じて前記第２画像において表示される現在の音量レベルを更新する報知手段と，
を備え，　
Ｇ　前記演出制御手段は，前記待機演出実行中に，前記表示手段に演出画像を表示可能であり，　
Ｈ　前記報知手段は，前記演出画像の一部より前面側に前記第２画像を表示させると共に，前記第２画像が表示されている状態で，前記操作入力手段に対する操作入力が行われることなく所定時間が経過すると，前記第２画像を消去させて，前記演出画像を前面側に表示させることを特徴とする遊技機。」
（２）刊行物に記載された事項
（２−１）刊行物１
　本願の出願前に頒布された特開２００５−２８８０２０号公報（以下，「刊行物１」という。）には，図面とともに次の事項が記載されている（下線は当審で付した。以下同様。）。
（ア）「【００２９】
　遊技領域１３の中央部にはセンターケース１４が装着されており，そのセンターケース１４にて取り囲まれるようにして
図柄表示装置１５
のＬＣＤパネル１５ａ
（イ）「【００４０】
　図柄制御装置４０は図柄表示装置１５と一体化されており，
図柄制御装置４０は
図柄表示装置１５の表示を制御する
図柄表示装置１５は画像表示装置に該当し
【００４１】
　
サブ統合基板９０は，主制御装置３０から送信されてくるデータ及びコマンドを
図柄制御装置４０，音制御用及びランプ制御用のデータに振り分けて
送信する
スピーカ５からの音声出力を制御し，
図柄変動における音，
図柄表示装置１５の演出タイミングの同調をはかることができる
【００４２】
　また，サブ統合基板９０は，操作ボタン７５の操作信号が入力される。詳細は後述するが，
サブ統合基板９０は，操作ボタン７５の操作信号に応じてスピーカ５の音量を変更する
（ウ）「【００４５】
　次に，
パチンコ機５０
　パチンコ機５０の基本的な動作は公知の第１種パチンコ機と同様であるから，概要のみを簡単に説明する。
【００４６】
　
主制御装置３０は，普通電動役物２２に入球（始動入賞が発生）して第１種始動口スイッチの始動検出信号が入力されると，
当否抽選用乱数と大当たり図柄決定用乱数，リーチ決定用乱数，変動パターン決定用乱数などの各種乱数を
読み込んで，
【００４７】
　保留記憶された保留データに対しては，
当否抽選が行われる（抽選手段）
・・・
【００４９】
　
当否抽選が大当たりなら
変動パターン決定用乱数に基づいて変動パターン
を決定する。外れのときは
変動パターンを決定する。
・・・
【００５１】
　図柄制御基板４０は，変動開始コマンドを受信する
図柄表示装置１５を制御してＬＣＤパネル１５ａにて図柄の変動表示を開始させる
（エ）「【００５６】
　このパチンコ機５０においては，遊技状態や図柄の変動状態等に応じて，
遊技者が操作ボタン７５を操作することで音量を調整できる
・・・
【００５８】
　
音量調整可能期間であるが（Ｓ１１：ＹＥＳ），音量表示がなされていない場合には（Ｓ１２：ＮＯ），操作ボタン７５からの操作信号が入力されると（Ｓ１３：ＹＥＳ），図柄制御基板４０に指示して図柄表示装置１５に音量表示を行わせ（Ｓ１４）
図柄表示装置１５においては，図７に例示するような音量インジケータ４１による音量表示が行われる
（オ）「【００６３】
　
音量表示が行われていて操作ボタン７５の操作信号が無い期間が一定期間Ａを経過すると，音量表示が終了する
・・・
【００６５】
　その後，操作ボタン７５の操作信号が無い期間が一定期間Ｂを経過すると（Ｔ４〜Ｔ５，Ｔ７〜Ｔ８，Ｔ１４〜Ｔ１５，Ｔ１８〜Ｔ１９），それまでの
操作ボタン７５の操作信号の入力回数
に基づいて音量を変更する
（カ）「【００７１】
　なお，上述のように
操作ボタン７５が操作されると音量インジケータ４１による音量表示が更新される
操作ボタン７５の操作信号が無い期間が一定期間Ｂを経過したときに実際の音量が変更される
操作ボタン７５の操作信号が無い期間が一定期間Ｂを経過し
音量が変更される
【００７２】
　また，操作ボタン７５の操作信号が無い期間が一定期間Ａを経過すると，音量表示が終了する（図８Ｉ〜Ｋ）。
　
一定期間遊技が行われていないときには，図柄表示装置１５の表示がデモ表示になり
音量が初期音量にされ
，図８Ｌに例示するとおり，操作ボタン７５を押すと音量を変更できる旨が表示される
（キ）「【００８８】
　
特定のリーチが出現する変動パターンを
特定の変動パターンとして設定
図柄表示装置１５における画像表示
【００８９】
　
図１０に示すように，図柄の変動表示が行われ（Ａ，Ｂ），期間Ｙを経過すると特定のリーチが始まる（Ｃ）。
キャラクタ
によるリーチ表示が行われる（Ｅ，Ｆ）。
（ク）上記【００２９】の「図柄表示装置１５・・・のＬＣＤパネル１５ａ」との記載，上記【００４０】の「図柄表示装置１５は画像表示装置に該当し」との記載，上記【００５１】の「図柄表示装置１５を制御してＬＣＤパネル１５ａにて図柄の変動表示を開始させる」との記載，上記【００７２】の「一定期間遊技が行われていないときには，図柄表示装置１５の表示がデモ表示になり，・・・図８Ｌに例示するとおり，操作ボタン７５を押すと音量を変更できる旨が表示される」との記載を参酌すると，図８Ｌ及び図１２Ａには，
右上に「音量調整可能期間」と記載され，「ＣＲ鬼退治」の記載の下に「金棒を持った２匹の鬼」が描かれた「デモ表示」画像が記載され，その下に「操作ボタンを押すと音量が変更できます。」と記載された画像が表示された図柄表示装置１５のＬＣＤパネル１５ａ
（ケ）上記（ク）で言及した【００２９】，【００４０】，【００５１】の上記記載，上記【００５８】の「音量調整可能期間であるが（Ｓ１１：ＹＥＳ），音量表示がなされていない場合には（Ｓ１２：ＮＯ），操作ボタン７５からの操作信号が入力されると（Ｓ１３：ＹＥＳ），図柄制御基板４０に指示して図柄表示装置１５に音量表示を行わせ（Ｓ１４）・・・図柄表示装置１５においては，図７に例示するような音量インジケータ４１による音量表示が行われる」との記載を参酌すると，図１２Ａから図１２Ｂに向けて矢印が記載された図１２Ｂには，
右上に「音量調整可能期間」と記載され，「ＣＲ鬼退治」の記載の下に「金棒を持った２匹の鬼」が描かれた「デモ表示」画像が表示され，「デモ表示」画像の下の図１２Ａの「操作ボタンを押すと音量が変更できます。」と記載された画像の代わりに，音量表示が行われる音量インジケータ４１の画像が表示された，図柄表示装置１５のＬＣＤパネル１５ａ
　上記記載事項（ア）〜（キ），上記図示内容（ク）〜（ケ）より，以下の事項が導かれる。
　なお，（ａ）〜（ｈ）は，本願補正発明の構成Ａ〜Ｈに対応した事項を示している。
（ａ）上記【００４６】には「主制御装置３０は，普通電動役物２２に入球（始動入賞が発生）して第１種始動口スイッチの始動検出信号が入力されると，・・・当否抽選用乱数と大当たり図柄決定用乱数，リーチ決定用乱数，変動パターン決定用乱数などの各種乱数を・・・読み込んで，」と記載され，上記【００４７】には「当否抽選が行われる（抽選手段）」と記載されているから，刊行物１には，
普通電動役物２２に入球（始動入賞が発生）して第１種始動口スイッチの始動検出信号が入力されると，当否抽選用乱数と大当たり図柄決定用乱数，リーチ決定用乱数，変動パターン決定用乱数などの各種乱数を該当のカウンタから読み込んで当否抽選が行われる（抽選手段）主制御装置３０
（ｂ）上記（ａ）で検討したように，刊行物１には「当否抽選用乱数と大当たり図柄決定用乱数，リーチ決定用乱数，変動パターン決定用乱数などの各種乱数を読み込んで，当否抽選が行われる（抽選手段）主制御装置３０」が記載され，上記【００４９】には「当否抽選が大当たりなら・・・変動パターン決定用乱数に基づいて変動パターン・・・を決定する。外れのときは・・・変動パターンを決定する。」と記載され，上記【００８８】には「特定のリーチが出現する変動パターンを・・・特定の変動パターンとして設定・・・図柄表示装置１５における画像表示」と記載され，上記【００８９】には「図１０に示すように，図柄の変動表示が行われ（Ａ，Ｂ），期間Ｙを経過すると特定のリーチが始まる（Ｃ）。・・・キャラクタ・・・によるリーチ表示が行われる（Ｅ，Ｆ）。」と記載されている。
　そして，上記【００８９】の「図１０に示す」の「特定のリーチ」である「キャラクタ」「によるリーチ表示」は，「当否抽選用乱数と大当たり図柄決定用乱数，リーチ決定用乱数，変動パターン決定用乱数などの各種乱数を読み込んで，当否抽選が行われる（抽選手段）主制御装置３０」の抽選結果に基づいて行われる演出であることは明らかであるから，刊行物１には，
当否抽選用乱数と大当たり図柄決定用乱数，リーチ決定用乱数，変動パターン決定用乱数などの各種乱数を読み込んで当否抽選が行われる（抽選手段）主制御装置３０の抽選結果に基づいて，図柄表示装置１５にキャラクタによるリーチ表示が行われる
　また，上記【００７２】には「一定期間遊技が行われていないときには，図柄表示装置１５の表示がデモ表示になり」と記載され，上記【００４０】には「図柄制御装置４０は・・・図柄表示装置１５の表示を制御する」と記載されている。
　以上のことから，刊行物１には，
当否抽選用乱数と大当たり図柄決定用乱数，リーチ決定用乱数，変動パターン決定用乱数などの各種乱数を読み込んで当否抽選が行われる（抽選手段）主制御装置３０の抽選結果に基づいて，図柄表示装置１５にキャラクタによるリーチ表示が行われると共に，一定期間遊技が行われていないときには，図柄表示装置１５の表示がデモ表示になるように制御する図柄制御装置４０
（ｃ）上記【００４１】には「サブ統合基板９０は，主制御装置３０から送信されてくるデータ及びコマンドを・・・図柄制御装置４０，音制御用及びランプ制御用のデータに振り分けて・・・送信する。・・・スピーカ５からの音声出力を制御し，・・・図柄変動における音，・・・図柄表示装置１５の演出タイミングの同調をはかることができる」と記載されているから，刊行物１には，
主制御装置３０から送信されてくるデータ及びコマンドを図柄制御装置４０に送信するサブ統合基板９０によって，図柄表示装置１５の演出タイミングと同調をはかり図柄変動における音の音声出力をするスピーカ５
（ｄ）上記【００５６】には「遊技者が操作ボタン７５を操作することで音量を調整できる」と記載され，上記【００６５】には「操作ボタン７５の操作信号の入力回数・・・に基づいてスピーカ５から出力する音量を変更する」と記載されているから，刊行物１には，
遊技者が操作する操作信号の入力回数に基づいてスピーカ５から出力する音量を変更する操作ボタン７５
（ｅ）上記【００４２】には「サブ統合基板９０は，操作ボタン７５の操作信号に応じてスピーカ５の音量を変更する」と記載されているから，刊行物１には，
操作ボタン７５の操作信号に応じてスピーカ５の音量を変更するサブ統合基板９０
（ｆ）上記【００７２】には「一定期間遊技が行われていないときには，図柄表示装置１５の表示がデモ表示になり・・・音量が初期音量にされ・・・，図８Ｌに例示するとおり，操作ボタン７５を押すと音量を変更できる旨が表示される」と記載され，上記（ク）の図８Ｌ及び図１２Ａの図示内容は「右上に「音量調整可能期間」と記載され，「ＣＲ鬼退治」の記載の下に「金棒を持った２匹の鬼」が描かれた「デモ表示」画像が表示され，その下に「操作ボタンを押すと音量が変更できます。」と記載された画像が表示された図柄表示装置１５のＬＣＤパネル１５ａ」であり，上記【００５８】には「音量調整可能期間であるが（Ｓ１１：ＹＥＳ），音量表示がなされていない場合には（Ｓ１２：ＮＯ），操作ボタン７５からの操作信号が入力されると（Ｓ１３：ＹＥＳ），図柄制御基板４０に指示して図柄表示装置１５に音量表示を行わせ（Ｓ１４）・・・図柄表示装置１５においては，図７に例示するような音量インジケータ４１による音量表示が行われる」と記載され，上記（ケ）の図１２Ａから図１２Ｂに向けて矢印が記載された図１２Ｂの図示内容は「右上に「音量調整可能期間」と記載され，「ＣＲ鬼退治」の記載の下に「金棒を持った２匹の鬼」が描かれた「デモ表示」画像が表示され，「デモ表示」画像の下の図１２Ａの「操作ボタンを押すと音量が変更できます。」と記載された画像の代わりに，音量表示が行われる音量インジケータ４１の画像が表示された，図柄表示装置１５のＬＣＤパネル１５ａ」であり，上記【００７１】には「操作ボタン７５が操作されると音量インジケータ４１による音量表示が更新される・・・操作ボタン７５の操作信号が無い期間が一定期間Ｂを経過したときに実際の音量が変更される」と記載されている。
　これらのことから，刊行物１には，
一定期間遊技が行われていないときには，図柄表示装置１５の表示がデモ表示になり，音量が初期音量にされ，「操作ボタンを押すと音量が変更できます。」と記載された画像が図柄表示装置１５のＬＣＤパネル１５ａに表示され，操作ボタン７５からの操作信号が入力されると，「操作ボタンを押すと音量が変更できます。」と記載された画像の代わりに，音量表示が行われる音量インジケータ４１の画像が表示され，操作ボタン７５の操作信号が無い期間が一定期間Ｂを経過したときに実際の音量が変更されるが，操作ボタン７５が操作されると音量インジケータ４１による音量表示が更新される図柄表示装置１５のＬＣＤパネル１５ａ
（ｇ）上記【００４０】には「図柄制御装置４０は・・・図柄表示装置１５の表示を制御する」と記載され，上記【００７２】には「一定期間遊技が行われていないときには，図柄表示装置１５の表示がデモ表示になり」と記載され，上記（ク）の図８Ｌ及び図１２Ａの図示内容は「・・・「ＣＲ鬼退治」の記載の下に「金棒を持った２匹の鬼」が描かれた「デモ表示」画像が表示され，・・・た，図柄表示装置１５のＬＣＤパネル１５ａ」であるから，刊行物１には，
図柄制御装置４０は，一定期間遊技が行われていないときに，図柄表示装置１５のＬＣＤパネル１５ａに，「ＣＲ鬼退治」の記載の下に「金棒を持った２匹の鬼」が描かれた「デモ表示」画像が表示されるように制御する
（ｈ）上記（ケ）の図１２Ａから図１２Ｂに向けて矢印が記載された図１２Ｂの図示内容は「・・・「ＣＲ鬼退治」の記載の下に「金棒を持った２匹の鬼」が描かれた「デモ表示」画像が表示され，「デモ表示」画像の下・・・に，音量表示が行われる音量インジケータ４１の画像が表示された，図柄表示装置１５のＬＣＤパネル１５ａ」であり，上記【００６３】には「音量表示が行われていて操作ボタン７５の操作信号が無い期間が一定期間Ａを経過すると，音量表示が終了する」と記載され，上記【００４５】には「パチンコ機５０」と記載されているから，刊行物１には，
図柄表示装置１５のＬＣＤパネル１５ａは，「ＣＲ鬼退治」の記載の下に「金棒を持った２匹の鬼」が描かれた「デモ表示」画像が表示され，「デモ表示」画像の下に，音量表示が行われる音量インジケータ４１の画像が表示されると共に，音量表示である音量インジケータ４１の表示が行われていて操作ボタン７５の操作信号が無い期間が一定期間Ａを経過すると，音量表示である音量インジケータ４１の表示を終了するパチンコ機５０
　上記記載事項（ア）〜（キ），上記図示内容（ク）〜（ケ）から，刊行物１には，次の発明（以下，「引用発明１」という。）が記載されていると認められる。
「ａ　普通電動役物２２に入球（始動入賞が発生）して第１種始動口スイッチの始動検出信号が入力されると，当否抽選用乱数と大当たり図柄決定用乱数，リーチ決定用乱数，変動パターン決定用乱数などの各種乱数を該当のカウンタから読み込んで当否抽選が行われる（抽選手段）主制御装置３０と，
ｂ　当否抽選用乱数と大当たり図柄決定用乱数，リーチ決定用乱数，変動パターン決定用乱数などの各種乱数を読み込んで当否抽選が行われる（抽選手段）主制御装置３０の抽選結果に基づいて，図柄表示装置１５にキャラクタによるリーチ表示が行われると共に，一定期間遊技が行われていないときには，図柄表示装置１５の表示がデモ表示になるように制御する図柄制御装置４０と，
ｃ’主制御装置３０から送信されてくるデータ及びコマンドを図柄制御装置４０に送信するサブ統合基板９０によって，図柄表示装置１５の演出タイミングと同調をはかり図柄変動における音の音声出力をするスピーカ５と，
ｄ　遊技者が操作する操作信号の入力回数に基づいてスピーカ５から出力する音量を変更する操作ボタン７５と，
ｅ　操作ボタン７５の操作信号に応じてスピーカ５の音量を変更するサブ統合基板９０と，
ｆ’一定期間遊技が行われていないときには，図柄表示装置１５の表示がデモ表示になり，音量が初期音量にされ，「操作ボタンを押すと音量が変更できます。」と記載された画像が図柄表示装置１５のＬＣＤパネル１５ａに表示され，操作ボタン７５からの操作信号が入力されると，「操作ボタンを押すと音量が変更できます。」と記載された画像の代わりに，音量表示が行われる音量インジケータ４１の画像が表示され，操作ボタン７５の操作信号が無い期間が一定期間Ｂを経過したときに実際の音量が変更されるが，操作ボタン７５が操作されると音量インジケータ４１による音量表示が更新される図柄表示装置１５のＬＣＤパネル１５ａと，
を備え，
ｇ　図柄制御装置４０は，一定期間遊技が行われていないときに，図柄表示装置１５のＬＣＤパネル１５ａに，「ＣＲ鬼退治」の記載の下に「金棒を持った２匹の鬼」が描かれた「デモ表示」画像が表示されるように制御し，
ｈ’図柄表示装置１５のＬＣＤパネル１５ａは，「ＣＲ鬼退治」の記載の下に「金棒を持った２匹の鬼」が描かれた「デモ表示」画像が表示され，「デモ表示」画像の下に，音量表示が行われる音量インジケータ４１の画像が表示されると共に，音量表示である音量インジケータ４１の表示が行われていて操作ボタン７５の操作信号が無い期間が一定期間Ａを経過すると，音量表示である音量インジケータ４１の表示を終了するパチンコ機５０。」
（２−２）刊行物２
　本願の出願前に頒布された特許第５３２０５００号公報（以下，「刊行物２」という。）には，図面とともに次の事項が記載されている。
（ア）「【０３８８】
　図４７は，設定音量の変更が可能であることを報知する報知演出，および，現在設定されている音量を報知する設定音量演出の一例を説明する図である。変動演出が終了したときに，次なる保留が記憶されていない場合には，図４７（ａ）に示すように，演出図柄２１０ａ，２１０ｂ，２１０ｃが演出表示部２００ａに停止表示されたままの状態となる。主制御基板３００では，特別図柄の変動表示が終了したとき，次なる保留が記憶されていない場合には，客待ち処理が行われ，客待ちコマンドを副制御基板３３０に送信する。副制御基板３３０では，
客待ちコマンドを受信すると，
演出表示部２００ａの下部に，情報バー２１１を表示する
【０３８９】
　この報知演出では，
情報バー２１１において，
演出操作装置２０８を
操作すると，設定音量の変更が可能であることを報知する
【０３９０】
　なお，上記のように，情報バー２１１が演出表示部２００ａに表示された後は，常に，演出操作装置２０８の操作が有効となっており，この操作有効期間中に演出操作装置２０８を回転させて音量変更操作を行うと，現在設定されている音量を報知する設定音量演出が実行される。この設定音量演出では，図４７（ｄ）に示すように，演出表示部２００ａに，演出操作装置２０８の回転操作を想起させる画像と，現在設定されている音量レベルに応じた音量メーターが表示される。ここでは，演出操作装置２０８を時計回り方向に回転させると，調整可能範囲内で設定音量が大きくなり，演出操作装置２０８を反時計回り方向に回転させると，調整可能範囲内で設定音量が小さくなる。設定音量演出では，演出操作装置２０８による音量変更操作に伴って音量メーターが可変表示され，現在設定されている音量レベルが報知されることとなる。
・・・
【０３９３】
　そこで，本実施形態の
遊技機１００
【０３９４】
　図４８は，報知演出の開始タイミング，および，音量変更操作の有効期間を説明する図である。この図に示すように，報知演出（
情報バー２１１の表示
は，客待ちコマンドを受信してから２０秒が経過すると開始され，６０秒が経過すると終了となり，以後，デモ画面が表示される
　上記記載事項（ア）から，刊行物２には，次の事項（以下，「刊行物２に記載された技術」という。）が記載されていると認められる。
「演出表示部２００ａの下部に，演出操作装置２０８を操作すると設定音量の変更が可能であることを報知する情報バー２１１を表示することが，客待ちコマンドを受信してから２０秒が経過すると開始され，６０秒が経過すると終了となり，以後，デモ画面が表示される遊技機１００」
（３）対比
　本願補正発明と引用発明１とを対比する。
（ａ）引用発明１の「普通電動役物２２に入球（始動入賞が発生）して第１種始動口スイッチの始動検出信号が入力される」ことは，本願補正発明の「始動条件が成立すること」に相当する。
　また，引用発明１の「当否抽選用乱数，リーチ決定用乱数と大当たり図柄決定用乱数，変動パターン決定用乱数などの各種乱数を該当のカウンタから読み込んで当否抽選が行われる（抽選手段）主制御装置３０」は，遊技者にとって有利な大当たり（特別遊技状態）に移行させるか否かの判定を，当否抽選により行うことは明らかである。
　これらのことから，引用発明１の「普通電動役物２２に入球（始動入賞が発生）して第１種始動口スイッチの始動検出信号が入力されると，当否抽選用乱数と大当たり図柄決定用乱数，リーチ決定用乱数，変動パターン決定用乱数などの各種乱数を該当のカウンタから読み込んで当否抽選が行われる（抽選手段）主制御装置３０」は，本願補正発明の「始動条件が成立することにより遊技者にとって有利な特別遊技状態に移行させるか否かを判定する特別遊技判定手段」に相当する。
（ｂ）引用発明１の「図柄表示装置１５」，「デモ表示」及び「図柄制御装置４０」は，それぞれ，本願補正発明の「所定の演出手段」，「待機演出」及び「演出制御手段」に相当する。
　また，引用発明１の「当否抽選用乱数と大当たり図柄決定用乱数，リーチ決定用乱数，変動パターン決定用乱数などの各種乱数を読み込んで当否抽選が行われる（抽選手段）主制御装置３０の抽選結果に基づいて」，「図柄表示装置１５にキャラクタによるリーチ表示が行われると共に」，「一定期間遊技が行われていないときには」及び「図柄表示装置１５の表示がデモ表示になるように制御する図柄制御装置４０」は，それぞれ，本願補正発明の「前記特別遊技判定手段による判定の結果に基づいて」，「所定の演出手段に演出を行わせると共に」，「遊技が行われていない場合に」及び「前記演出手段に待機演出を行わせる演出制御手段」に相当する。
　これらのことから，引用発明１の「当否抽選用乱数と大当たり図柄決定用乱数，リーチ決定用乱数，変動パターン決定用乱数などの各種乱数を読み込んで当否抽選が行われる（抽選手段）主制御装置３０の抽選結果に基づいて，図柄表示装置１５にキャラクタによるリーチ表示が行われると共に，一定期間遊技が行われていないときには，図柄表示装置１５の表示がデモ表示になるように制御する図柄制御装置４０」は，本願補正発明の「前記特別遊技判定手段による判定の結果に基づいて，所定の演出手段に演出を行わせると共に，遊技が行われていない場合に前記演出手段に待機演出を行わせる演出制御手段」に相当する。
（ｃ）引用発明１の「スピーカ５」は，本願補正発明の「スピーカー」に相当する。
　また，リーチ表示は，図柄変動中に行われるから，引用発明１の「図柄表示装置１５の演出タイミングと同調をはかり」「音声出力」される「図柄変動における音」は，引用発明１における構成ｂの「キャラクタによるリーチ表示が行われる」ときの音も含むものであり，本願補正発明の「演出が行われる時の演出音」に相当する。
　しかしながら，引用発明１の「スピーカ５」は「サブ統合基板９０によって」「音の音声出力をする」ものであり，上記「サブ統合基板９０」は，「図柄表示装置１５の表示がデモ表示になるように制御する図柄制御装置４０」とは異なる制御装置である。
　これらのことから，引用発明１の「主制御装置３０から送信されてくるデータ及びコマンドを図柄制御装置４０に送信するサブ統合基板９０によって，図柄表示装置１５の演出タイミングと同調をはかり図柄変動における音の音声出力をするスピーカ５」は，本願補正発明の構成Ｃと「演出が行われる時の演出音を出力するスピーカー」である点で共通している。
（ｄ）引用発明１の「操作ボタン７５」は，本願補正発明の「操作入力手段」に相当する。
　このことから，引用発明１の「遊技者が操作する操作信号の入力回数に基づいてスピーカ５から出力する音量を変更する操作ボタン７５」は，本願補正発明の「遊技者が前記スピーカーにより出力される演出音の音量レベルの設定を変更するために操作入力を行うことが可能な操作入力手段」に相当する。
（ｅ）引用発明１の「サブ統合基板９０」は，「操作ボタン７５の操作信号に応じてスピーカ５の音量を変更する」から，本願補正発明の「前記操作入力手段に対して行われる操作に基づいて，前記スピーカーから出力される演出音の音量レベルの設定変更を行う音量調整手段」に相当する機能を有している。
（ｆ）引用発明１の「「操作ボタンを押すと音量が変更できます。」と記載された画像」及び「図柄表示装置１５のＬＣＤパネル１５ａ」は，それぞれ，本願補正発明の「前記操作入力手段に対する操作入力により音量レベルの設定変更が可能であることを報知する第１画像」及び「所定の表示手段」に相当する。
　また，引用発明１の「図柄表示装置１５の表示がデモ表示にな」ることは，本願補正発明の「所定の条件」に相当するといえるから，引用発明１の「一定期間遊技が行われていないときに」，「図柄表示装置１５の表示がデモ表示にな」ることは，本願補正発明の「遊技が行われていない場合の所定の条件」が成立したときに相当する。
　次に，引用発明１の「操作ボタン７５からの操作信号が入力される」ときは，「操作ボタン７５」に対する操作（操作入力）が行われたときであることは明らかであるから，引用発明１の「操作ボタン７５からの操作信号が入力される」ことは，本願補正発明の「前記操作入力手段に対する操作入力が行われたこと」に相当する。
　そして，引用発明１の「「操作ボタンを押すと音量が変更できます。」と記載された画像の代わりに，音量表示が行われる音量インジケータ４１の画像が表示され」ることは，本願補正発明の「前記第１画像を消去させ，前記第１画像とは異なる第２画像により」「音量レベルを表示する」ことに相当する。
　加えて，引用発明１の「操作ボタン７５の操作信号が無い期間が一定期間Ｂを経過したときに実際の音量が変更されるが，操作ボタン７５が操作されると音量インジケータ４１による音量表示が更新される図柄表示装置１５のＬＣＤパネル１５ａ」は，本願補正発明の「前記操作入力手段に対する操作入力に応じて前記第２画像において表示される」「音量レベルを更新する報知手段」に相当する機能を有している。
　しかしながら，引用発明１の「「操作ボタンを押すと音量が変更できます。」と記載された画像」（第１画像）は，所定時間表示させるものであるか不明である。また，引用発明１の「音量表示が行われる音量インジケータ４１の画像」（第２画像）が表示，または，更新する音量（音量レベル）は，現在の音量（音量レベル）であるか明記されていないので，不明である。
　これらのことから，引用発明１の「一定期間遊技が行われていないときには，図柄表示装置１５の表示がデモ表示になり，音量が初期音量にされ，「操作ボタンを押すと音量が変更できます。」と記載された画像が図柄表示装置１５のＬＣＤパネル１５ａに表示され，操作ボタン７５からの操作信号が入力されると，「操作ボタンを押すと音量が変更できます。」と記載された画像の代わりに，音量表示が行われる音量インジケータ４１の画像が表示され，操作ボタン７５の操作信号が無い期間が一定期間Ｂを経過したときに実際の音量が変更されるが，操作ボタン７５が操作されると音量インジケータ４１による音量表示が更新される図柄表示装置１５のＬＣＤパネル１５ａ」は，
　本願補正発明の構成Ｆと「遊技が行われていない場合の所定の条件において，前記操作入力手段に対する操作入力により音量レベルの設定変更が可能であることを報知する第１画像を所定の表示手段に」「表示させると共に，前記操作入力手段に対する操作入力が行われたことに伴い前記第１画像を消去させ，前記第１画像とは異なる第２画像により」「音量レベルを表示すると共に，前記操作入力手段に対する操作入力に応じて前記第２画像において表示される」「音量レベルを更新する報知手段」である点で共通しているといえる。
（ｇ）引用発明１の「「ＣＲ鬼退治」の記載の下に「金棒を持った２匹の鬼」が描かれた「デモ表示」画像」は，本願補正発明の「演出画像」に相当する。
　このことから，引用発明１の「図柄制御装置４０」は，「一定期間遊技が行われていないときに，図柄表示装置１５のＬＣＤパネル１５ａに，「ＣＲ鬼退治」の記載の下に「金棒を持った２匹の鬼」が描かれた「デモ表示」画像が表示されるように制御」するから，本願補正発明の「前記演出制御手段は，前記待機演出実行中に，前記表示手段に演出画像を表示可能であ」ることに相当する機能を有している。
（ｈ）引用発明１は，「図柄表示装置１５のＬＣＤパネル１５ａ」において，「「ＣＲ鬼退治」の記載の下に「金棒を持った２匹の鬼」が描かれた「デモ表示」画像」（演出画像）と，「音量表示が行われる音量インジケータ４１の画像」（第２画像）との前後関係は不明であるが，２つの画像は表示されるから，引用発明１の「図柄表示装置１５のＬＣＤパネル１５ａは，「ＣＲ鬼退治」の記載の下に「金棒を持った２匹の鬼」が描かれた「デモ表示」画像が表示され，「デモ表示」画像の下に，音量表示が行われる音量インジケータ４１の画像が表示される」ことは，本願補正発明の「前記報知手段は，前記演出画像の一部より前面側に前記第２画像を表示させる」ことと，「前記報知手段は，前記演出画像」と「前記第２画像を表示させる」点で共通しているといえる。
　また，引用発明１の「音量表示である音量インジケータ４１の表示が行われていて操作ボタン７５の操作信号が無い期間が一定期間Ａを経過すると，音量表示である音量インジケータ４１の表示を終了する」ときには，「デモ表示」画像が表示されているから，本願補正発明の「前記第２画像が表示されている状態で，前記操作入力手段に対する操作入力が行われることなく所定時間が経過すると，前記第２画像を消去させて，前記演出画像を前面側に表示させること」と，「前記第２画像が表示されている状態で，前記操作入力手段に対する操作入力が行われることなく所定時間が経過すると，前記第２画像を消去させて，前記演出画像を」「表示させること」である点で共通しているといえる。
　そして，引用発明１の「パチンコ機５０」は，本願補正発明の「遊技機」に相当する。
　これらのことから，引用発明１の「図柄表示装置１５のＬＣＤパネル１５ａは，「ＣＲ鬼退治」の記載の下に「金棒を持った２匹の鬼」が描かれた「デモ表示」画像が表示され，「デモ表示」画像の下に，音量表示が行われる音量インジケータ４１の画像が表示されると共に，音量表示である音量インジケータ４１の表示が行われていて操作ボタン７５の操作信号が無い期間が一定期間Ａを経過すると，音量表示である音量インジケータ４１の表示を終了するパチンコ機５０」は，
　本願補正発明の構成Ｈと「前記報知手段は，前記演出画像」と「前記第２画像を表示させると共に，前記第２画像が表示されている状態で，前記操作入力手段に対する操作入力が行われることなく所定時間が経過すると，前記第２画像を消去させて，前記演出画像を」「表示させることを特徴とする遊技機」である点で共通しているといえる。
　上記（ａ）〜（ｉ）から，本願補正発明と引用発明１とは，
［一致点］
「Ａ　始動条件が成立することにより遊技者にとって有利な特別遊技状態に移行させるか否かを判定する特別遊技判定手段と，
Ｂ　前記特別遊技判定手段による判定の結果に基づいて，所定の演出手段に演出を行わせると共に，遊技が行われていない場合に前記演出手段に待機演出を行わせる演出制御手段と，
Ｃ’演出が行われる時の演出音を出力するスピーカーと，
Ｄ　遊技者が前記スピーカーにより出力される演出音の音量レベルの設定を変更するために操作入力を行うことが可能な操作入力手段と，
Ｅ　前記操作入力手段に対して行われる操作に基づいて，前記スピーカーから出力される演出音の音量レベルの設定変更を行う音量調整手段と，
Ｆ’遊技が行われていない場合の所定の条件において，前記操作入力手段に対する操作入力により音量レベルの設定変更が可能であることを報知する第１画像を所定の表示手段に表示させると共に，前記操作入力手段に対する操作入力が行われたことに伴い前記第１画像を消去させ，前記第１画像とは異なる第２画像により音量レベルを表示すると共に，前記操作入力手段に対する操作入力に応じて前記第２画像において表示される音量レベルを更新する報知手段と，
を備え，　
Ｇ　前記演出制御手段は，前記待機演出実行中に，前記表示手段に演出画像を表示可能であり，　
Ｈ’前記報知手段は，前記演出画像と前記第２画像を表示させると共に，前記第２画像が表示されている状態で，前記操作入力手段に対する操作入力が行われることなく所定時間が経過すると，前記第２画像を消去させて，前記演出画像を表示させる遊技機。」
　である点で一致し，以下の点で相違する。
［相違点１］（構成Ｃ）
「演出が行われる時の演出音を出力するスピーカー」に関して，
　本願補正発明は，「前記演出制御手段によって」「演出音を出力する」のに対して，
　引用発明１は，「図柄制御装置４０」（前記演出制御手段）でなく，「主制御装置３０から送信されてくるデータ及びコマンドを図柄制御装置４０に送信するサブ統合基板９０によって」である点。
［相違点２］（構成Ｆ）
「報知手段」が「遊技が行われていない場合の所定の条件において，前記操作入力手段に対する操作入力により音量レベルの設定変更が可能であることを報知する第１画像を所定の表示手段に」「表示させる」ことに関して，
　本願補正発明は，「所定時間表示させる」のに対して，
　引用発明１は，そのような構成であるか不明である点。
［相違点３］（構成Ｆ）
「報知手段」が「前記第１画像とは異なる第２画像により」「表示する」「音量レベル」，及び，「前記操作入力手段に対する操作入力に応じて前記第２画像において表示され」「更新する」「音量レベル」に関して，
　本願補正発明は，「現在の音量レベル」であるのに対して，
　引用発明１は，そのような構成であるか不明である点。
［相違点４］（構成Ｈ）
「前記演出画像」と「前記第２画像を表示させると共に，前記第２画像が表示されている状態で，前記操作入力手段に対する操作入力が行われることなく所定時間が経過すると，前記第２画像を消去させて，前記演出画像を」「表示させる」，「演出画像」と「第２画像」に関して，
　本願補正発明は，「前記演出画像の一部より前面側に前記第２画像を表示させると共に，」「前記第２画像を消去させて，前記演出画像を前面側に表示させる」のに対して，
　引用発明１は，そのような構成であるか不明である点。
（４）判断
ア　相違点１について
　遊技機において，演出表示の制御と，スピーカーの制御とを，同一の制御手段により行うことは，平成２７年１１月１８日付けの拒絶理由の通知で文献２とした刊行物３（特開２０１３−１３２３１４号公報。【００９３】，【００９７】，図１０〜１１には，画像音声制御基板７０に搭載した画像音声制御用ＭＰＵ７１は，演出表示器３０に変動・演出パターンを表示するために画像処理ＬＳＩ７６を制御し，スピーカ１０〜１２から音楽や効果音などを出力するために音源ＩＣ８０を制御する点が記載されている。），平成２７年３月１９日付けの拒絶理由の通知で文献４とした刊行物４（特開２０１１−２００５１１号公報。【００９１】，図３〜４には，演出制御基板８０に搭載されている演出制御手段（演出制御用マイクロコンピュータで構成される。）が，飾り図柄を可変表示する変動表示装置９の表示制御やスピーカ２７Ｌ，２７Ｒ，２７ａ，２７ｂからの音出力制御を行う点が記載されている。）に記載されているように周知（以下，「周知技術１」という。）である。
　引用発明１と周知技術１は共に，遊技機における演出表示の制御とスピーカーの制御に関する発明又は技術であり，技術分野及び機能が共通している。
　引用発明１の図柄制御装置４０による図柄表示装置１５の表示の制御と，サブ統合基板９０によるスピーカ５の音量を変更することを，上記周知技術１に基づいて，図柄制御装置４０又はサブ統合基板９０のうちどちらか一方の制御装置で行うようにして，上記相違点１に係る本願補正発明の構成とすることは，当業者が容易になし得たことである。
イ　相違点２について
　上記（２）（２−２）には，刊行物２に記載された技術として「演出表示部２００ａの下部に，演出操作装置２０８を操作すると設定音量の変更が可能であることを報知する情報バー２１１を表示することが，客待ちコマンドを受信してから２０秒が経過すると開始され，６０秒が経過すると終了となり，以後，デモ画面が表示される遊技機１００」の技術が記載されているから，刊行物２には，情報バー２１１が所定時間表示される技術が記載されているといえる。
　引用発明１と刊行物２に記載された技術は共に，遊技機において，音量が変更できることを表示する技術であり，技術分野及び機能が共通している。
　引用発明１の「図柄表示装置１５のＬＣＤパネル１５ａに表示され」る「「操作ボタンを押すと音量が変更できます。」と記載された画像」（第１画像）に，上記引用例２に記載された技術を適用して，「「操作ボタンを押すと音量が変更できます。」と記載された画像」（第１画像）が所定時間表示されるようにして，上記相違点２に係る本願補正発明の構成とすることは，当業者が容易になし得たことである。
ウ　相違点３について
　遊技機において，音量調整可能なときに表示する音量レベルを，現在の音量レベルとし，操作により表示される現在の音量レベルを更新することは，刊行物２（【０３９０】，図４７（ｄ）には，演出表示部２００ａに，設定音量演出として現在設定されている音量レベルに応じた音量メータが表示され，演出操作装置２０８による音量変更操作に伴って音量メーターが可変表示され，現在設定されている音量レベルが報知される点が記載されている。），及び本願の出願前に頒布された特開２０１２−２２３３９０号公報（以下，「刊行物５」という。【０６３９】〜【０６４０】，図１５３には，音量設定の画面に切り替わると，まず現在設定されているレベル表示ＬＶＬが反転され，本体枠３に設けたスピーカ８２１及び扉枠５に設けたスピーカ１３０，２２２，２６２から現在の音量レベルを報知するアナウンスが選択された音量レベルＶＬの音量で流れ，図１５３（ｂ）に示した音量レベルＶＬを値２から値５に設定する場合には，図１５３（ｃ）に示すように，ジョグダイヤルＪＧＤ（ダイヤル操作部４０１）を右方向に回転させる右回転操作を行うことでレベル表示ＬＶＬを音量レベルＶＬが値５となる位置まで移動させて反転表示させ，本体枠３に設けたスピーカ８２１及び扉枠５に設けたスピーカ１３０，２２２，２６２から「音量レベルは５です。」というアナウンスがその選択された音量レベルＶＬの音量で流れる点が記載されている。）に記載されているように周知（以下，「周知技術２」という。）である。
　引用発明１と周知技術２は共に，遊技機において，音量を表示する技術であり，技術分野及び機能が共通している。
　引用発明１の「音量表示が行われ」，「操作ボタン７５が操作されると」「音量表示が更新される」「音量インジケータ４１の画像」（第２の画像）に，上記周知技術２を適用して，「操作ボタン７５が操作されると」現在設定されている音量レベルが表示され，更新するようにして，上記相違点３に係る本願補正発明の構成とすることは，当業者が容易になし得たことである。
エ　相違点４について
　引用発明１の「図柄表示装置１５のＬＣＤパネル１５ａは，「ＣＲ鬼退治」の記載の下に「金棒を持った２匹の鬼」が描かれた「デモ表示」画像が表示され，「デモ表示」画像の下に，音量表示が行われる音量インジケータ４１の画像が表示されると共に，音量表示である音量インジケータ４１の表示が行われていて操作ボタン７５の操作信号が無い期間が一定期間Ａを経過すると，音量表示である音量インジケータ４１の表示を終了する」ものであり，「「デモ表示」画像」（演出画像）が表示されている範囲（ＬＣＤパネル１５ａ全面に表示されるか），及び，「「デモ表示」画像」（演出画像）と「音量インジケータ４１の画像」（第２画像）の構造が不明であるため，「「デモ表示」画像」（演出画像）の一部より前面側に「音量インジケータ４１の画像」（第２画像）を表示させる構成か不明である。
　他方，画像表示制御において，ある画像以外の，別の小さな画像を，任意のタイミングで表示又は消去する場合，ある画像の一部の前面側に，別の画像を任意のタイミングで表示及び消去することは，例示するまでもなく周知の技術（以下，「周知技術３」という。）である。
　引用発明１の「「デモ表示」画像」（演出画像）と「音量インジケータ４１の画像」（第２画像）に，上記周知技術３を適用して，「「デモ表示」画像」（演出画像）の一部よりも前面側に「音量インジケータ４１の画像」（第２画像）を表示させ，「音量インジケータ４１の画像」（第２画像）を消去させると，「「デモ表示」画像」（演出画像）を前面側に表示させるようにして，上記相違点４に係る本願補正発明の構成とすることは，当業者が容易になし得たことである。
　そして，本願補正発明の作用効果も，引用発明１，引用例２に記載された技術，及び周知技術１〜３から当業者が予測できる範囲のものである。
　したがって，本願補正発明は，引用発明１，引用例２に記載された技術，及び周知技術１〜３に基づいて，当業者が容易に発明をすることができたものである。
（５）請求人の主張について
　請求人は審判請求書の３．（ｄ）において，
「しかし，本願発明と引用発明１には，以下に示す相違点が存在する。 
　第１に，本願発明は，遊技が行われていない場合に演出手段に待機演出を行わせ，この待機演出実行中に演出画像を表示手段に表示可能であるのに対して，引用発明１は，特図変動遊技が実行されていない状態において待機演出を実行する構成を備えていない（第１の相違点）。
　第２に，本願発明は，待機演出実行中に遊技者による操作入力が行われた場合，第２画像と待機演出に基づく演出画像の両者を表示させると共に，演出画像の一部と第２画像とが重なり合う領域において，第２画像を演出画像の一部の前面側に表示させる構成を備える。これに対して，引用発明１は上記のとおり待機演出実行中に演出画像を表示する構成を備えておらず，そのため，待機演出実行中に操作入力手段に対する操作が行われた場合に，第２画像と演出画像の両者を表示させることはあり得ず，第２画像と演出画像の一部とが重なり合う領域において第２画像を演出画像の一部の前面側に表示させる構成を備えていない（第２の相違点）。
　第３に，本願発明は，第２画像が演出画像の一部より前面側に表示されている状態で，操作入力手段に対する操作入力が行われることなく所定時間が経過すると，第２画像を消去させると共に，演出画像を前面側に表示させる構成を備えているのに対して，引用発明１は，第２画像が表示されている状態で所定時間が経過すると第２画像を消去させる構成を備えていない。また，そもそも引用発明１は，上記のとおり待機演出における演出画像の一部より前面側に第２画像を表示させる構成を備えていないことから，第２画像を消去させると共に演出画像を前面側に表示させる構成も当然備えていない（第３の相違点）。
　このように，本願発明と引用発明１には，上記第１乃至第３の相違点が存在する。」
と主張している。
　しかしながら，上記（３）において既に検討したように，請求人の主張する平成２７年１１月１８日付け拒絶理由の引用文献１（特開２０１３−２７４２９号公報。）と異なる刊行物１（特開２００５−２８８０２０号公報）に記載された発明である引用発明１と，本願補正発明との間には，請求人が主張する第１の相違点は存在せず，上記（４）エにおいて既に検討したように，引用発明１は，「「デモ表示」画像」（演出画像）と「音量インジケータ４１の画像」（第２画像）とを同時に表示させるものであり，請求人が主張する第２〜３の相違点の構成にすることは当業者が容易になし得たことであるから，本願補正発明は，当業者が容易に発明をすることができたものである。
（６）まとめ
　したがって，本願補正発明は，特許法第２９条第２項の規定に基づいて特許出願の際独立して特許を受けることができない。
　よって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明について
１　本願発明
　本件補正（平成２８年１０月１８日付け手続補正）は上記第２のとおり却下されたので，本願の請求項１に係る発明（以下「本願発明」という。）は，平成２７年５月２０日付け手続補正書により補正された，上記第２　１で前述した特許請求の範囲の請求項１に記載された事項により特定される次のとおりのものである（Ａ〜Ｇは，本願発明を分説するために当審で付与した。）。
「【請求項１】
Ａ　始動条件が成立することにより遊技者にとって有利な特別遊技状態に移行させるか否かを判定する特別遊技判定手段と，
Ｂ　前記特別遊技判定手段による判定の結果に基づいて，所定の演出手段に演出を行わせる演出制御手段と，
Ｃ　前記演出制御手段によって演出が行われるときの演出音を出力するスピーカーと，
Ｄ　遊技者が前記スピーカーにより出力される演出音の音量レベルの設定を変更するために操作入力を行うことが可能な操作入力手段と，
Ｅ　前記操作入力手段に対して行われる操作に基づいて，前記スピーカーから出力される演出音の音量レベルの設定変更を行う音量調整手段と，
Ｆ　遊技が行われていない場合の所定の条件において，前記操作入力手段に対する操作入力により音量レベルの設定変更が可能であることを報知する第１画像を所定の表示手段に所定時間表示させると共に，前記操作入力手段に対する操作入力が行われたことに伴い前記第１画像を消去させ，前記第１画像とは異なる第２画像により現在の音量レベルを表示すると共に，前記操作入力手段に対する操作入力に応じて前記第２画像において表示される現在の音量レベルを更新する報知手段と，
Ｇ　を備える遊技機。」
２　刊行物に記載された事項
（１）刊行物３
　平成２７年１１月１８日付けの拒絶理由の通知で文献２とした本願の出願前に頒布された刊行物３（特開２０１３−１３２３１４号公報）には，図面とともに以下の事項が記載されている（下線は当審で付した。以下同じ。）。
（ア）「【００１７】
（請求項１に係る発明）
　上記の目的を達成するため，この出願の請求項１に係る発明では，遊技球の流下領域が形成された遊技盤（５）と，前記流下領域へ遊技球（Ｐ）を発射する発射装置（４，４ａ〜４ｎ）と，前記遊技盤に設けられた始動口（２１，２２）と，乱数（Ｒ１〜Ｒ１０）を発生する乱数発生手段と，前記発射装置により発射された遊技球が前記始動口に入賞したときに前記乱数発生手段が発生した乱数を取得する乱数取得手段（Ｓ２０３）と，前記乱数取得手段が取得した乱数を格納する乱数格納手段（５３）と，前記発射装置により発射された
遊技球が前記始動口に入賞したときに動画像の表示を開始する画像表示装置（３０）と，
前記画像表示装置が前記動画像の表示を開始するときに前記乱数格納手段に格納されている乱数に基いて大当りかハズレかを判定するＭＰＵ（５１）と，を備えており，前記画像表示装置は前記動画像の表示を開始してから所定時間経過後に前記ＭＰＵの判定の結果に対応する画像を表示する
　遊技者が操作可能であり，前記音出力装置の音量を調節するための操作部材（９）と，前記操作部材の操作に応じて前記音量を設定する音量設定手段（８３）と，前記音量設定手段による音量の設定状態を前記画像表示装置に表示する音量表示手段（Ｇ３，Ｇ４，Ｓ７０２）と，を備えるという技術的手段を用いる。」
（イ）「【図面の簡単な説明】
【００２２】
・・・
【図８】
（ａ）は音量設定画面の初期画面を示す説明図
（ｂ）は音量設定中の画面を示す説明図
（ウ）「【００３３】
　遊技盤５の中央には，センター飾り１６が設けられている。このセンター飾り１６は，図３に示すように盤面から前方へ突出する立体形状に形成されており，遊技領域の中央領域を占有している。センター飾り１６には，静止画像および動画像を表示する画像表示装置としての演出表示器３０が設けられている。
演出表示器３０が表示する動画像とは，演出図柄の変動表示を表す動画像，変動表示する演出図柄の背景に表示する動画像，
大当りが発生したときに表示する動画像，
などである
（エ）「【００５５】
　また，
スピーカ１０〜１２（図１）は，演出表示器３０が動画像を表示しているときに音楽または効果音を出力する
（オ）「【００７１】
　
パチンコ機１
演出ボタン９は
スピーカ１０〜１２の音量を調節するための操作部材
【００７２】
　
パチンコ機１が演出を行っていないときに遊技者が演出ボタン９を押すと，図８（ａ）に示すような音量設定画面の初期画面が演出表示器３０に表示される
音量設定画面として，「音量を調節します  演出ボタンを押してください  音量は５０が標準です」という説明画像Ｇ２と，音量の大きさを横バーの長さで表すインジケータＧ３と，音量を数値で表す音量画像Ｇ４とが演出表示器３０に表示される
【００７３】
　そして，
遊技者が演出ボタン９を押し続けている間，図８（ｂ）に示すように，インジケータＧ３の横バーが右方へ延び，音量画像Ｇ４により表される音量の数値が増加する
遊技者が演出ボタン９の押圧を中止し，所定時間（たとえば，数秒）経過すると，そのときの音量が設定される
【００７４】
　たとえば，音量調節前の音量が７０に設定されていたために音量が大きく感じていた場合は，音量を７０より小さい音量に設定することにより，音量を小さくすることができる。また，音量調節前の音量が３０に設定されていたために音量が小さく感じていた場合は，音量を３０より大きい音量に設定することにより，音量を大きくすることができる。
　なお，この実施形態では，
演出ボタン９を押し続けて音量が最大値の１００に達した場合は，再度，最小値の０に戻り，再度増加する
（カ）「【００９７】
　画像データＲＯＭ７４，７５には，演出表示器３０に変動・演出パターンなどを表示するための画像データが格納されている。
画像音声制御用ＭＰＵ７１は，主制御用ＭＰＵ５１から送信される演出制御信号に基いて演出表示器３０に変動・演出パターンを表示するために画像処理ＬＳＩ７６を制御し，スピーカ１０〜１２から音楽や効果音などを出力するために音源ＩＣ８０を制御する
画像音声制御用ＭＰＵ７１は，
遊技者が演出ボタン９を操作して調節した音量を設定する
（キ）「【０１４９】
　
主制御用ＭＰＵ５１は，遊技球が第１始動口２１に
入賞したと判定した場合
，大当り判定用乱数Ｒ３，大当り図柄用乱数Ｒ５，リーチ選択乱数Ｒ７および第１変動グループ乱数Ｒ８を各乱数カウンタから取得し，
・・・
【０１５１】
　ここで，特別図柄保留数Ｕ１が０ではないと判定した場合は（Ｓ２０８：Ｎｏ），確変遊技状態であるか否かを判定し（Ｓ２０９），確変遊技状態であると判定した場合は（Ｓ２０９：Ｙｅｓ），確変遊技状態の大当り判定を行う（Ｓ２１０）。つまり，先のＳ２０３において
取得した大当り判定用乱数と
一致する大当り値が存在する場合は大当りと判定し，
・・・
【０１５５】
　続いて，特別図柄の停止図柄を表示している停止図柄表示時間を設定し（Ｓ２２０），停止図柄表示時間の計測を開始する（Ｓ２２１）。そして，次のサイクルで特別図柄遊技処理を実行するときに，図２２のＳ２０７において停止図柄表示時間中であると判定すると（Ｓ２０７：Ｙｅｓ），停止図柄表示時間が経過したか否かを判定し（図２３のＳ２２２），経過したと判定した場合は（Ｓ２２２：Ｙｅｓ），特別図柄の大当り図柄が確定表示されたか否かを判定する（Ｓ２２３）。ここで，確定表示されたと判定した場合は（Ｓ２２３：Ｙｅｓ），
大当り遊技を開始し
（ク）「【０１６６】
　ここで，演出中ではないと判定した場合は（Ｓ７００：Ｎｏ），演出ボタン９がオンしたか否かを判定し（Ｓ７０１），演出ボタン９がオンしたと判定した場合は（Ｓ７０１：Ｙｅｓ），
図８（ａ）に示した音量設定画面を演出表示器３０に表示する（Ｓ７０２）。続いて，音量を設定することができる制限時間の計測を開始する（Ｓ７０３）
再度，演出ボタン９がオンしたか否かを判定し（Ｓ７０４），オンしたと判定した場合は（Ｓ７０４：Ｙｅｓ），インジケータＧ３の横バーを右方へ延ばすとともに音量画像Ｇ４の数値を増大させ，設定音量を増大させる（Ｓ７０５）
（ケ）上記【００２２】の「【図８】・・・（ａ）は音量設定画面の初期画面を示す説明図，（ｂ）は音量設定中の画面を示す説明図」との記載，上記【００７２】の「図８（ａ）に示すような音量設定画面の初期画面が演出表示器３０に表示される・・・音量設定画面として，「音量を調節します　演出ボタンを押してください　音量は５０が標準です」という説明画像Ｇ２と，音量の大きさを横バーの長さで表すインジケータＧ３と，音量を数値で表す音量画像Ｇ４とが演出表示器３０に表示される」との記載，上記【００７３】の「遊技者が演出ボタン９を押し続けている間，図８（ｂ）に示すように，インジケータＧ３の横バーが右方へ延び，音量画像Ｇ４により表される音量の数値が増加する」との記載，上記【０１６７】の「再度，演出ボタン９がオンしたか否かを判定し（Ｓ７０４），オンしたと判定した場合は（Ｓ７０４：Ｙｅｓ），インジケータＧ３の横バーを右方へ延ばすとともに音量画像Ｇ４の数値を増大させ，設定音量を増大させる（Ｓ７０５）。」との記載を参酌すると，図８（ｂ）には，
再度演出ボタン９をオンし，遊技者が演出ボタン９を押し続ける音量設定中は，説明画像Ｇ２が消去され，演出ボタン９を押し続けている間，インジケータＧ３の横バーが右方へ延び，音量画像Ｇ４により表される音量の数値が増加する演出表示器３０
　上記記載事項（ア）〜（ク），上記図示内容（ケ）より，以下の事項が導かれる。
　なお，（ａ）〜（ｇ）は，本願発明の構成Ａ〜Ｇに対応した事項を示している。
（ａ）上記【０１４９】には「主制御用ＭＰＵ５１は，遊技球が第１始動口２１に・・・入賞したと判定した場合・・・，大当り判定用乱数Ｒ３，大当り図柄用乱数Ｒ５，リーチ選択乱数Ｒ７および第１変動グループ乱数Ｒ８を各乱数カウンタから取得し，」と記載され，上記【０１５１】には「取得した大当り判定用乱数と・・・一致する大当り値が存在する場合は大当りと判定し，」と記載され，上記【０１５５】には「大当り遊技を開始し」と記載されているから，刊行物３には，
遊技球が第１始動口２１に入賞したと判定した場合，大当り判定用乱数Ｒ３，大当り図柄用乱数Ｒ５，リーチ選択乱数Ｒ７および第１変動グループ乱数Ｒ８を各乱数カウンタから取得し，取得した大当り判定用乱数と一致する大当り値が存在する場合は大当りと判定し，大当り遊技を開始する主制御用ＭＰＵ５１
（ｂ）上記（ａ）で検討したように，刊行物３には「主制御用ＭＰＵ５１」が「大当り判定用乱数と一致する大当り値が存在する場合は大当りと判定」する点が記載され，上記【００１７】には「遊技球が前記始動口に入賞したときに動画像の表示を開始する画像表示装置（３０）と，・・・前記画像表示装置が前記動画像の表示を開始するときに前記乱数格納手段に格納されている乱数に基いて大当りかハズレかを判定するＭＰＵ（５１）と，を備えており，前記画像表示装置は前記動画像の表示を開始してから所定時間経過後に前記ＭＰＵの判定の結果に対応する画像を表示する」と記載され，上記【００９７】には「画像音声制御用ＭＰＵ７１は，主制御用ＭＰＵ５１から送信される演出制御信号に基いて演出表示器３０に変動・演出パターンを表示するために画像処理ＬＳＩ７６を制御し」と記載され，上記【００３３】には「演出表示器３０が表示する動画像とは，演出図柄の変動表示を表す動画像，変動表示する演出図柄の背景に表示する動画像，・・・大当りが発生したときに表示する動画像，・・・などである」と記載され，「主制御用ＭＰＵ５１」と「ＭＰＵ（５１）」，及び「演出表示器３０」と「画像表示装置（３０）」が同じ装置であることは明らかであるからから，刊行物３には，
主制御用ＭＰＵ５１の判定の結果に対応して，演出表示器３０に，演出図柄の変動表示を表す動画像，変動表示する演出図柄の背景に表示する動画像，大当りが発生したときに表示する動画像などを表示するように制御する画像音声制御用ＭＰＵ７１
（ｃ）上記【００９７】には「画像音声制御用ＭＰＵ７１は，主制御用ＭＰＵ５１から送信される演出制御信号に基いて・・・スピーカ１０〜１２から音楽や効果音などを出力するために音源ＩＣ８０を制御する」と記載され，上記【００５５】には「スピーカ１０〜１２（図１）は，演出表示器３０が動画像を表示しているときに音楽または効果音を出力する」と記載されているから，刊行物３には，
画像音声制御用ＭＰＵ７１によって，演出表示器３０が動画像を表示しているときに音楽または効果音を出力するスピーカ１０〜１２
（ｄ）上記【００７１】には「演出ボタン９は，・・・スピーカ１０〜１２の音量を調節するための操作部材」と記載され，上記【００７３】には「遊技者が演出ボタン９を押し続けている間，・・・インジケータＧ３の横バーが右方へ延び，音量画像Ｇ４により表される音量の数値が増加する」と記載され，上記【００７４】には「演出ボタン９を押し続けて音量が最大値の１００に達した場合は，再度，最小値の０に戻り，再度増加する」と記載されているから，刊行物３には，
遊技者がスピーカ１０〜１２の音量を調節するために，押し続けて音量の数値を増加させ，音量が最大値の１００に達した場合は，再度最小値の０に戻り，再度増加させる演出ボタン９
（ｅ）上記（ｄ）で検討したように，刊行物３には「遊技者がスピーカ１０〜１２の音量を調節するために，押し続けて音量の数値を増加させ，音量が最大値の１００に達した場合は，再度最小値の０に戻り，再度増加させる演出ボタン９」が記載され，上記【００７３】には「遊技者が演出ボタン９の押圧を中止し，所定時間（たとえば，数秒）経過すると，そのときの音量が設定される」と記載され，上記【００９７】には「画像音声制御用ＭＰＵ７１は・・・遊技者が演出ボタン９を操作して調節した音量を設定する」と記載されているから，刊行物３には，
演出ボタン９を押し続けて音量の数値を増加させ，音量が最大値の１００に達した場合は，再度最小値の０に戻り，再度増加させ，遊技者が演出ボタン９の押圧を中止し，所定時間（たとえば，数秒）経過すると，そのときの音量をスピーカ１０〜１２の音量として設定する画像音声制御用ＭＰＵ７１
（ｆ）上記【００７２】には「パチンコ機１が演出を行っていないときに遊技者が演出ボタン９を押すと，図８（ａ）に示すような・・・音量設定画面として，「音量を調節します　演出ボタンを押してください　音量は５０が標準です」という説明画像Ｇ２と，音量の大きさを横バーの長さで表すインジケータＧ３と，音量を数値で表す音量画像Ｇ４とが演出表示器３０に表示され」と記載され，上記【０１６６】には「図８（ａ）に示した音量設定画面を演出表示器３０に表示する（Ｓ７０２）。続いて，音量を設定することができる制限時間の計測を開始する（Ｓ７０３）」と記載され，上記（ケ）の図８（ｂ）の図示内容は「再度演出ボタン９をオンし，遊技者が演出ボタン９を押し続ける音量設定中は，説明画像Ｇ２が消去され，演出ボタン９を押し続けている間，インジケータＧ３の横バーが右方へ延び，音量画像Ｇ４により表される音量の数値が増加する演出表示器３０」であるから，刊行物３には，
パチンコ機１が演出を行っていないときに遊技者が演出ボタン９を押すと，音量設定画面として，「音量を調節します　演出ボタンを押してください　音量は５０が標準です」という説明画像Ｇ２と，音量の大きさを横バーの長さで表すインジケータＧ３と，音量を数値で表す音量画像Ｇ４とが演出表示器３０に表示され，音量を設定することができる制限時間の計測を開始し，再度演出ボタン９をオンし，遊技者が演出ボタン９を押し続ける音量設定中は，説明画像Ｇ２が消去され，演出ボタン９を押し続けている間，インジケータＧ３の横バーが右方へ延び，音量画像Ｇ４により表される音量の数値が増加する演出表示器３０
（ｇ）上記【００７２】には「パチンコ機１」と記載されている。
　上記記載事項（ア）〜（ク），上記図示内容（ケ）から，刊行物３には，次の発明（以下，「引用発明３」という。）が記載されていると認められる。
「ａ　遊技球が第１始動口２１に入賞したと判定した場合，大当り判定用乱数Ｒ３，大当り図柄用乱数Ｒ５，リーチ選択乱数Ｒ７および第１変動グループ乱数Ｒ８を各乱数カウンタから取得し，取得した大当り判定用乱数と，大当り値テーブル５２ａ（図１３）の確変遊技状態に設定されている大当り値とを比較し，大当り判定用乱数と一致する大当り値が存在する場合は大当りと判定し，大当り遊技を開始する主制御用ＭＰＵ５１と，
ｂ　主制御用ＭＰＵ５１の判定の結果に対応して，演出表示器３０に，演出図柄の変動表示を表す動画像，変動表示する演出図柄の背景に表示する動画像，大当りが発生したときに表示する動画像などを表示するように制御する画像音声制御用ＭＰＵ７１と，
ｃ　画像音声制御用ＭＰＵ７１によって，演出表示器３０が動画像を表示しているときに音楽または効果音を出力するスピーカ１０〜１２と，
ｄ　遊技者がスピーカ１０〜１２の音量を調節するために，押し続けて音量の数値を増加させ，音量が最大値の１００に達した場合は，再度最小値の０に戻り，再度増加させる演出ボタン９と，
ｅ　演出ボタン９を押し続けて音量の数値を増加させ，音量が最大値の１００に達した場合は，再度最小値の０に戻り，再度増加させ，遊技者が演出ボタン９の押圧を中止し，所定時間（たとえば，数秒）経過すると，そのときの音量をスピーカ１０〜１２の音量として設定する画像音声制御用ＭＰＵ７１と，
ｆ　パチンコ機１が演出を行っていないときに遊技者が演出ボタン９を押すと，音量設定画面として，「音量を調節します　演出ボタンを押してください　音量は５０が標準です」という説明画像Ｇ２と，音量の大きさを横バーの長さで表すインジケータＧ３と，音量を数値で表す音量画像Ｇ４とが演出表示器３０に表示され，音量を設定することができる制限時間の計測を開始し，再度演出ボタン９をオンし，遊技者が演出ボタン９を押し続ける音量設定中は，説明画像Ｇ２が消去され，演出ボタン９を押し続けている間，インジケータＧ３の横バーが右方へ延び，音量画像Ｇ４により表される音量の数値が増加する演出表示器３０と，
ｇ　を備えるパチンコ機１。」
３　対比
　本願発明と引用発明３とを，分説に従って対比する。
　
（ａ）引用発明３の「遊技球が第１始動口２１に入賞したと判定した」こと，及び「大当り遊技」は，それぞれ，本願発明の「始動条件が成立すること」，及び「遊技者にとって有利な特別遊技状態」に相当する。
　このことから，引用発明３の「遊技球が第１始動口２１に入賞したと判定した場合，大当り判定用乱数Ｒ３，大当り図柄用乱数Ｒ５，リーチ選択乱数Ｒ７および第１変動グループ乱数Ｒ８を各乱数カウンタから取得し，取得した大当り判定用乱数と一致する大当り値が存在する場合は大当りと判定し，大当り遊技を開始する主制御用ＭＰＵ５１」は，本願発明の「始動条件が成立することにより遊技者にとって有利な特別遊技状態に移行させるか否かを判定する特別遊技判定手段」に相当する。
（ｂ）引用発明３の「演出表示器３０」及び「画像音声制御用ＭＰＵ７１」は，それぞれ，「所定の演出手段」及び「演出制御手段」に相当する。
　また，引用発明３の「主制御用ＭＰＵ５１の判定の結果に対応して」は，本願発明の「前記特別遊技判定手段による判定の結果に基づいて」に相当する。
　そして，引用発明３の「演出図柄の変動表示を表す動画像，変動表示する演出図柄の背景に表示する動画像，大当りが発生したときに表示する動画像などを表示する」ことは，本願発明の「演出を行わせる」ことに相当する。
　これらのことから，引用発明３の「主制御用ＭＰＵ５１の判定の結果に対応して，演出表示器３０に，演出図柄の変動表示を表す動画像，変動表示する演出図柄の背景に表示する動画像，大当りが発生したときに表示する動画像などを表示するように制御する画像音声制御用ＭＰＵ７１」は，本願発明の「前記特別遊技判定手段による判定の結果に基づいて，所定の演出手段に演出を行わせる演出制御手段」に相当する。
（ｃ）引用発明３の「演出表示器３０が動画像を表示しているとき」の「音楽または効果音」は，本願発明の「演出が行われるときの演出音」に相当する。
　また，引用発明３の「スピーカ１０〜１２」は，本願発明の「スピーカー」に相当する。
　これらのことから，引用発明３の「画像音声制御用ＭＰＵ７１によって，演出表示器３０が動画像を表示しているときに音楽または効果音を出力するスピーカ１０〜１２」は，本願発明の「前記演出制御手段によって演出が行われるときの演出音を出力するスピーカー」に相当する。
（ｄ）引用発明３の「演出ボタン９」を「押し続け」ること，及び「演出ボタン９」は，それぞれ，本願発明の「操作入力を行うこと」，及び「操作入力手段」に相当する。
　このことから，引用発明３の「遊技者がスピーカ１０〜１２の音量を調節するために，押し続けて音量の数値を増加させ，音量が最大値の１００に達した場合は，再度最小値の０に戻り，再度増加させる演出ボタン９」は，本願発明の「遊技者が前記スピーカーにより出力される演出音の音量レベルの設定を変更するために操作入力を行うことが可能な操作入力手段」に相当する。
（ｅ）引用発明３の「画像音声制御用ＭＰＵ７１」は，「演出ボタン９を押し続けて音量の数値を増加させ，音量が最大値の１００に達した場合は，再度最小値の０に戻り，再度増加させ，遊技者が演出ボタン９の押圧を中止し，所定時間（たとえば，数秒）経過すると，そのときの音量をスピーカ１０〜１２の音量として設定する」から，本願発明の「前記操作入力手段に対して行われる操作に基づいて，前記スピーカーから出力される演出音の音量レベルの設定変更を行う音量調整手段」に相当する機能を有している。
（ｆ）引用発明３の「パチンコ機１が演出を行っていないときに遊技者が演出ボタン９を押す」こと，「「音量を調節します　演出ボタンを押してください　音量は５０が標準です」という説明画像Ｇ２」，及び「音量の大きさを横バーの長さで表すインジケータＧ３と，音量を数値で表す音量画像Ｇ４」は，それぞれ，本願発明の「遊技が行われていない場合の所定の条件」，「前記操作入力手段に対する操作入力により音量レベルの設定変更が可能であることを報知する第１画像」，及び「前記第１画像とは異なる第２画像」に相当する。
　また，引用発明３の「演出表示器３０」は，本願発明の「所定の表示手段」及び「報知手段」に相当する。
　次に，引用発明３は，「説明画像Ｇ２」（第１画像）「が演出表示器３０に表示され，音量を設定することができる制限時間の計測を開始」するものであり，「演出ボタン９」を押さなくても制限時間になると「説明画像Ｇ２」（第１画像）が消去されることは明らかであるから，引用発明３の「説明画像Ｇ２」（第１画像）は，「演出表示器３０」（所定の表示手段）に所定時間表示されることは明らかである。
　そして，引用発明３は，「再度演出ボタン９をオンし，遊技者が演出ボタン９を押し続ける音量設定中は，説明画像Ｇ２が消去され」るものであり，「説明画像Ｇ２が消去され」る契機となる事象は，演出ボタン９を押すことのみであるから，演出ボタン９を押すことに伴い「説明画像Ｇ２」（第１画像）が消去されることも明らかである。
　しかしながら，引用発明３の「インジケータＧ３」（第２画像）と「音量画像Ｇ４」（第２画像）とが表示または更新する音量の大きさ（音量レベル）は，現在の音量の大きさ（音量レベル）であるか明記されていないので，不明である。このことから，引用発明３の「演出ボタン９を押し続けている間，インジケータＧ３の横バーが右方へ延び，音量画像Ｇ４により表される音量の数値が増加する演出表示器３０」は，本願発明の「前記第１画像とは異なる第２画像により現在の音量レベルを表示すると共に，前記操作入力手段に対する操作入力に応じて前記第２画像において表示される現在の音量レベルを更新する報知手段」と，「前記第１画像とは異なる第２画像により」「音量レベルを表示すると共に，前記操作入力手段に対する操作入力に応じて前記第２画像において表示される」「音量レベルを更新する報知手段」である点で共通している。
　
　これらのことから，引用発明３の「パチンコ機１が演出を行っていないときに遊技者が演出ボタン９を押すと，音量設定画面として，「音量を調節します  演出ボタンを押してください  音量は５０が標準です」という説明画像Ｇ２と，音量の大きさを横バーの長さで表すインジケータＧ３と，音量を数値で表す音量画像Ｇ４とが演出表示器３０に表示され，音量を設定することができる制限時間の計測を開始し，再度演出ボタン９をオンし，遊技者が演出ボタン９を押し続ける音量設定中は，説明画像Ｇ２が消去され，演出ボタン９を押し続けている間，インジケータＧ３の横バーが右方へ延び，音量画像Ｇ４により表される音量の数値が増加する演出表示器３０」は，
　本願発明の構成Ｆと「遊技が行われていない場合の所定の条件において，前記操作入力手段に対する操作入力により音量レベルの設定変更が可能であることを報知する第１画像を所定の表示手段に所定時間表示させると共に，前記操作入力手段に対する操作入力が行われたことに伴い前記第１画像を消去させ，前記第１画像とは異なる第２画像により」「音量レベルを表示すると共に，前記操作入力手段に対する操作入力に応じて前記第２画像において表示される」「音量レベルを更新する報知手段」である点で共通している。
（ｇ）引用発明３の「パチンコ機１」は，本願発明の「遊技機」に相当する。
　上記（ａ）〜（ｈ）から，本願発明と引用発明３とは，
［一致点］
「Ａ　始動条件が成立することにより遊技者にとって有利な特別遊技状態に移行させるか否かを判定する特別遊技判定手段と，
Ｂ　前記特別遊技判定手段による判定の結果に基づいて，所定の演出手段に演出を行わせる演出制御手段と，
Ｃ　前記演出制御手段によって演出が行われるときの演出音を出力するスピーカーと，
Ｄ　遊技者が前記スピーカーにより出力される演出音の音量レベルの設定を変更するために操作入力を行うことが可能な操作入力手段と，
Ｅ　前記操作入力手段に対して行われる操作に基づいて，前記スピーカーから出力される演出音の音量レベルの設定変更を行う音量調整手段と，
Ｆ’遊技が行われていない場合の所定の条件において，前記操作入力手段に対する操作入力により音量レベルの設定変更が可能であることを報知する第１画像を所定の表示手段に所定時間表示させると共に，前記操作入力手段に対する操作入力が行われたことに伴い前記第１画像を消去させ，前記第１画像とは異なる第２画像により音量レベルを表示すると共に，前記操作入力手段に対する操作入力に応じて前記第２画像において表示される音量レベルを更新する報知手段と，
Ｇ　を備える遊技機。」
　である点で一致し，以下の点で相違する。
［相違点５］（構成Ｆ）
「報知手段」が「前記第１画像とは異なる第２画像により」「表示する」「音量レベル」，及び，「前記操作入力手段に対する操作入力に応じて前記第２画像において表示され」「更新する」「音量レベル」に関して，
　本願発明は，「現在の音量レベル」であるのに対して，
　引用発明１は，そのような構成であるか不明である点。
４　判断
ア　相違点５について
　上記［相違点５］は，上記第２　３（３）の［相違点３］と同じであり，上記第２　３（４）において検討したように，遊技機において，音量調整可能なときに表示する音量レベルを，現在の音量レベルとし，操作により表示される現在の音量レベルを更新することは，周知技術２として周知である。
　引用発明３と周知技術２は共に，遊技機において，音量を表示する技術であり，技術分野及び機能が共通している。
　引用発明３の「演出ボタン９を押し続けている間，インジケータＧ３の横バーが右方へ延び，音量画像Ｇ４により表される音量の数値が増加する演出表示器３０」に，上記周知技術２を適用して，「インジケータＧ３」（第２画像）と「音量画像Ｇ４」（第２画像）に，現在設定されている音量レベルが表示されるようにして，上記相違点５に係る本願発明の構成とすることは，当業者が容易になし得たことである。
　そして，本願発明の作用効果も，引用発明３，及び周知技術２から当業者が予測できる範囲のものである。
　したがって，本願発明は，引用発明３，及び周知技術２に基づいて，当業者が容易に発明をすることができたものである。
　仮に，本願発明の構成Ｆに関する「前記操作入力手段に対する操作入力が行われたことに伴い前記第１画像を消去させ，前記第１画像とは異なる第２画像により現在の音量レベルを表示すると共に」について，引用発明３の「説明画像Ｇ２」（第１画像）が消去されることにより，「インジケータＧ３」（第２画像）と「音量画像Ｇ４」（第２画像）とが表示される構成でない点で相違するとしても，第１画像が消去されることにより第２画像が表示されるようにすることは，上記刊行物１（上記第２（２）（２−１）の（ク）（ケ）には，図１２Ａの「操作ボタンを押すと音量が変更できます。」と記載された画像（第１画像）が表示された後，図１２Ａの「操作ボタンを押すと音量が変更できます。」と記載された画像（第１画像）の代わりに，音量表示が行われる音量インジケータ４１の画像（第２画像）が表示される点が記載されている。），上記刊行物２（上記第２（２）（２−２）（ア）の【０３８９】〜【０３９０】，図４７（ｂ）（ｄ）には，演出操作装置２０８を回転操作すると，設定音量の変更が可能であることを報知する情報バー２１１（第１画像）が演出表示部２００ａに表示（図４７（ｂ））された後，演出表示部２００ａに，現在設定されている音量レベルに応じた音量メーター（第２画像）のみが表示（図４７（ｄ）。この時点で情報バー２１１は表示されていない。）される点が記載されている。）に記載されているように周知（以下，「周知技術４」という。）であり，本願発明は，引用発明３，及び周知技術２，４に基づいて，当業者が容易に発明をすることができたものである。
５　むすび
　以上のとおり，本願発明は，特許法第２９条第２項の規定により特許を受けることができないものである。
　したがって，その余の請求項について検討するまでもなく，本願は拒絶すべきものである。
　よって，結論のとおり審決する。